(57)【要約】      （修正有）【課題】容器本体の開口部に設けた凹部と蓋体の周縁とによって形成される支持孔で容器内に収納したパウチのスパウトを支持し、容器本体の凹部の内側に形成した受け部でスパウトの断面非円形の台座を支持するようにしたパウチ収納容器において、スパウトの台座を確実に支えてスパウトの先端部を上向きに支持できるようにすること。【解決手段】スパウトの外側に支持孔１２の外側開口縁との係止部を設け、容器本体１の凹部の内方下部にスパウトの台座の受け部を設けてスパウトの先端を上向きにして支持できるようにし、蓋体２１の内側に台座上部を押圧する突起を設ける。【選択図】図１
2008013222.tif 000002
【特許請求の範囲】
【請求項１】
容器本体の開口部に設けた凹部と蓋体の周縁とによって形成される支持孔で容器内に収納したパウチのスパウトを支持し、容器本体の凹部の内側に形成した受け部でスパウトの断面非円形の台座を支持するようにしたパウチ収納容器において、スパウトの外側に支持孔の外側開口縁との係止部を設け、容器本体の凹部の内方下部にスパウトの台座の受け部を設けてスパウトの先端を上向きにして支持できるようにし、蓋体の内側に台座上部を押圧する突起を設けたパウチ収納容器。
【請求項２】
支持孔が容器本体の凹部と蓋体の周縁部に設けた凹部とによって形成されている請求項１に記載のパウチ収納容器。
【請求項３】
容器本体の凹部と台座の受け部とが間隔を設けて配置してある請求項１又は２に記載のパウチ収納容器。
【請求項４】
容器本体の凹部の表面が外側に向って上向きの傾斜を備えている請求項１、２又は３に記載のパウチ収納容器。
【発明の詳細な説明】
【技術分野】
【０００１】
本発明は、容器本体の開口部に設けた凹部と蓋体の周縁とによって形成される支持孔で容器内に収納したパウチのスパウトを支持し、容器本体の凹部の内側に形成した受け部でスパウトの断面非円形の台座を支持するようにしたパウチ収納容器に関するもので、水、清涼飲料、調味料、洗剤、液状ワックスなどの液体を充填したパウチを収納するために使用される。
【背景技術】
【０００２】
この種の容器としては、特許文献１に開示されたものが知られている。
ここで用いられているパウチは、ポリエチレンフィルムなどで形成された袋体の側壁上部にスパウトを溶着させたものが使用されている。スパウトは、基端部に断面が非円形の台座（この特許文献１では、菱形乃至舟形）を備えていて、その両側にフィルムの端部を沿わせてフィルム同志及びフィルムと台座とを溶着することによって、袋体と台座とを立体的に固着一体化させる構成が採用されている。
【０００３】
この公知の容器においては、収納されたパウチに対して、蓋体の周縁部に設けた凹部と容器本体の開口部に設けた凹部とによって形成される支持孔でスパウトの先端部を支持し、容器本体の内側でスパウトの台座を支持して、スパウトが略水平に突出させる構成を採用している。
【０００４】
しかしながら、収納したパウチに対して支持孔がスパウトの先端部側を支持してスパウトの台座が内方に押し込まれてしまうと、受け部の支持機能が果たせなくなって、キャップを着脱する際にスパウトが共回りするなど不安定な状態におかれる不都合がある。
また、スパウトを水平に突出させた状態でパウチを使用すると、充填された液体を注いだ直後にノズル内に残留している液体が先端部から垂れ落ちることが往々にして発生し、垂れた液体によって容器が汚されてしまう不都合もあった。
【特許文献１】特開2003-170962 号公報
【発明の開示】
【発明が解決しようとする課題】
【０００５】
本発明は、容器本体の開口部に設けた凹部と蓋体の周縁とによって形成される支持孔で容器内に収納したパウチのスパウトを支持し、容器本体の凹部の内側に形成した受け部でスパウトの断面非円形の台座を支持するようにしたパウチ収納容器において、スパウトの台座を確実に支えてスパウトの先端部を上向きに支持できるようにすることを課題としたものである。
【課題を解決するための手段】
【０００６】
この技術的課題を解決するための技術的手段は、（イ）スパウトの外側に支持孔の外側開口縁との係止部を設け、（ロ）容器本体の凹部の内方下部にスパウトの台座の受け部を設けてスパウトの先端を上向きにして支持できるようにし、（ハ）蓋体の内側に台座上部を押圧する突起を設けたこと、である。
【０００７】
この技術的手段においては、パウチを容器に収納してスパウトを支持孔に位置させる際に、スパウトの外側に設けた係止部を支持孔の外側開口縁に係止させることができるから、パウチは位置決めされた状態で容器内に収納させることができる。
【０００８】
スパウトの台座の受け部は、容器本体の凹部の内方下部に配置されていて、スパウトを支持孔で支持させると共に台座を受け部で支持させ、スパウトの先端を上向きになるようにしている。
蓋体の内側には、台座上部を押圧するための突起が設けられているから、蓋体で容器本体の開口部を閉じた場合には、スパウトの台座は押し下げられて容器本体に設けられている受け部に押圧状態で支持され、スパウトはその先端を上向きにして確実に支持固定されることになる。
【０００９】
したがって、容器にパウチを収納した状態においては、スパウトの台座は確実に受け部に位置してスパウトはその先端部を上向きにして支持されることになる。
【００１０】
台座の上部を押圧する突起は、押圧機能を発揮するかぎりにおいてその形状はどのようなものであっても良い。
支持孔を容器本体の凹部と蓋体の周縁部に設けた凹部とによって形成すると、支持孔をスパウトの形状に一致させてスッキリとした外観が形成できる利点がある。
【００１１】
容器本体の凹部と台座の受け部とを間隔を設けて配置した場合には、蓋体の突起がスパウトの台座を押し下げる際に、台座が前後方向へ僅かに移動することを許容し、円滑に位置決めをすることができる。
容器本体の凹部を厚肉に形成した場合には、凹部の表面を外側に向って上向きに傾斜させておくとスパウトを傾斜面で支持できるため、スパウトに対する上向きの姿勢を安定させることができる。
【発明の効果】
【００１２】
スパウトの断面非円形の台座を押圧して支持されている結果、スパウトのキャップを着脱する場合にもスパウトの共回りを確実に阻止して安定した着脱を行える利点がある。
また、スパウトの先端部が上向きに支持されている結果、パウチ内の液体の注出を完了した場合には、スパウト内の液体は速やかにパウチ内へ戻るために、スパウトから液体が垂れ落ちることもない。
【実施例１】
【００１３】
図１はパウチ３０を収納した容器１０の左側面図、図２はその正面図である。
この実施例では、蓋体２１が容器本体１の右側面の開口部近傍に設けたヒンジ機構２によって枢着されていて、蓋体２１は左右方向で開閉し、閉の状態において左側面側のロック装置３によって蓋体２１をロックできるようにしている。また、把手５は、その上部６は直線状に斜め下外方に向って傾斜し、下部７は直線状に斜め上外方に向って傾斜させてあり、パウチ３０に多量の液体が充填されているときには上部６を把持して液体を注出し、液体が減ってきた場合には下部７を把持して注出することによって、重心バランスを安定させられるようにしている。
なお、符号８で示した凹部は、上部６を把持して重い容器１０から液体を注出する際に、把持した手の親指を押し当てて容器１を一層安定させるためのものである。
【００１４】
図３は図１のスパウト３１を省略したA-A'箇所の断面図、図４は図２のB-B'箇所の要部断面である。
この実施例では、容器本体１の正面上部を僅かに前方へ膨出１１させてあって、その開口縁を切り欠いて凹部１２を形成している。
膨出部１１の内側には容器本体１の側壁に沿って中央にスリット１５を備えた支持壁１３が間隔を設けて配置してあり、この支持壁のスリット１５の上縁には、後述するスパウト３１の台座３３の形状に適合する外縁を形成して台座の受け部１４を形成している。
なお、符号２３で示した凹部は、液体注出時にスパウト３１から外したキャップを嵌めておくための保持部である。
【００１５】
図４はパウチを容器１０に収納してスパウト３１を支持孔１２に固定した状態を示している。スパウトの先端側には係止部としての係止リング３２が設けてあって、支持孔１２の外側開口縁に係止させられている。
スパウト３１の基端部には、本実施例では断面菱形の台座３３が形成してあって、蓋体２１に設けた突起２２によって、受け部１４側へ押圧された状態で蓋体１２がロックされている。
この台座３３はパウチ３０を形成する袋体と溶着したまま受け部１４に臨んでおり、台座３３の前側下部は若干前へ迫り出した状態となって、スパウト３１が上向きの状態で支持されている。
【図面の簡単な説明】
【００１６】
【図１】パウチを収納した容器の左側面図
【図２】容器の正面図.
【図３】スパウトを省略したA-A'箇所の断面図
【図４】B-B'箇所の要部断面図
【符号の説明】
【００１７】
１容器本体、  ２ヒンジ機構、  ３蓋体のロック装置、  ５把手、  ６把手上部、  ７把手下部、  ８親指押し当て凹部、  10容器、  11容器の膨出部、  １２支持孔、  13スパウトの支持壁、  14台座受け部、  15支持壁のスリット、  21蓋体、  22台座を押圧するための突起、  23キャップ保持部、  30パウチ、  31スパウト、  32係止リング、  33スパウトの台座
【図１】
2008013222.tif 000003
【図２】
2008013222.tif 000004
【図３】
2008013222.tif 000005
【図４】
2008013222.tif 000006